(57)【要約】【課題】液体を採取するためのチューブの接続口を清潔に保ちつつ、液体を採取するためのチューブの接続口を密閉する密閉用部分を容易に交換できる医療用ポートを提供すること。【解決手段】液体が流通するラインに配置される医療用ポート１であって、内筒部３と、内筒部３の外周との間に内筒部３を収容する筒状の内筒収容部４１が形成された本体部４と、本体部４における内筒収容部４１の周囲から内筒部３の延びる方向に突出すると共に先端部に開口６１が形成された外周壁部６と、外周壁部６に着脱可能に取り付けられる蓋部材７と、を備え、蓋部材７は、蓋本体７１と、蓋本体７１に対して内筒部３が延びる方向に交差する方向にスライドすることで蓋本体７１に着脱可能に取り付けられるスライド部材７２と、を有し、スライド部材７２は、開口６１を密閉する密閉用部分７６と、密閉用部分７６を保持する保持部分７３と、を有する。【選択図】図８
2018171300.tif 000002
【特許請求の範囲】
【請求項１】
液体が流通するラインに配置される医療用ポートであって、
前記ラインを流通する液体が導入される導入口及び液体が導出される導出口が形成された内筒部と、
前記内筒部の外周との間に液体が流通可能な空間が形成されるように該内筒部を収容する筒状の内筒収容部が形成された本体部と、
前記本体部における前記導出口が位置する側に配置されて前記内筒収容部の周囲から前記内筒部の延びる方向に突出すると共に先端部に開口が形成された外周壁部と、
前記外周壁部に着脱可能に取り付けられる蓋部材と、を備え、
前記蓋部材は、蓋本体と、前記蓋本体に対して前記内筒部が延びる方向に交差する方向にスライドすることで前記蓋本体に着脱可能に取り付けられるスライド部材と、を有し、
前記スライド部材は、前記開口を密閉する密閉用部分と、前記密閉用部分を保持する保持部分と、を有する医療用ポート。
【請求項２】
前記スライド部材は、該スライド部材がスライドするスライド方向に直交する方向の両端部に配置される一対のスライド側係合爪部を有し、
前記蓋本体は、前記一対のスライド側係合爪部に係合可能な蓋本体側係合部を有する請求項１に記載の医療用ポート。
【発明の詳細な説明】
【技術分野】
【０００１】
本発明は、医療用ポートに関する。
【背景技術】
【０００２】
従来、腎機能不全の患者に対して、その患者の血液を浄化するために、透析治療が行われている。透析治療においては、患者から取り出した血液を、半透膜からなるダイアライザによって透析（血液透析）し、血液から不純物を除去する。
【０００３】
透析治療のうち、血液濾過透析（ＨＤＦ：Ｈｅｍｏｄｉａｆｉｌｔｒａｔｉｏｎ）では、血液透析に濾過を組み合わせることで、血液の浄化効率を向上させることができる。ＨＤＦにおいては、濾過による血液の減少分を、透析前又は透析後の血液に補液する。ＨＤＦのうち、特に、ダイアライザに供給される透析液の一部を補液に用いる技術は、オンラインＨＤＦと呼ばれる。なお、オンラインＨＤＦでは、透析液が血液に添加されることから、透析液における細菌及びエンドトキシンの量を厳密に管理する必要がある。
【０００４】
このようなオンラインＨＤＦ等を実施するために、血液浄化装置における透析液の流通するラインにポートを配置し、このポートを用いて透析液を採取する技術が知られている（例えば、特許文献１参照）。ポートを用いて分流された透析液は、血液への補液や、細菌及びエンドトキシンの量の測定等のために用いられる。
【先行技術文献】
【特許文献】
【０００５】
【特許文献１】特許第５４７９５２０号公報
【発明の概要】
【発明が解決しようとする課題】
【０００６】
ところで、このような医療用ポートにおいては、液体を採取するためのチューブの接続口が形成され、その接続口は容易に開閉できることが求められる。そのために、接続口となる開口部に蓋部材を密着させることで、接続口を塞ぐ技術が知られている。蓋部材は、接続口を密閉する密閉用部分と、密閉用部分を保持する保持部分と、を有する。密閉用部分は、ゴム材料で構成されており、消耗部品であるため、定期的に交換される必要がある。
【０００７】
しかしながら、密閉用部分を交換する際に、工具などを使用しないと、密閉用部分を医療用ポートから取り外せない場合があり、密閉用部分の交換の作業が煩雑である。更に、医療用ポートの液体を採取するためのチューブの接続口は、清潔に保たれる必要がある。
【０００８】
本発明は、上記の課題に鑑みてなされたものであり、液体を採取するためのチューブの接続口を清潔に保ちつつ、液体を採取するためのチューブの接続口を密閉する密閉用部分を容易に交換できる医療用ポートを提供することを目的とする。
【課題を解決するための手段】
【０００９】
本発明は、液体が流通するラインに配置される医療用ポートであって、前記ラインを流通する液体が導入される導入口及び液体が導出される導出口が形成された内筒部と、前記内筒部の外周との間に液体が流通可能な空間が形成されるように該内筒部を収容する筒状の内筒収容部が形成された本体部と、前記本体部における前記導出口が位置する側に配置されて前記内筒収容部の周囲から前記内筒部の延びる方向に突出すると共に先端部に開口が形成された外周壁部と、前記外周壁部に着脱可能に取り付けられる蓋部材と、を備え、前記蓋部材は、蓋本体と、前記蓋本体に対して前記内筒部が延びる方向に交差する方向にスライドすることで前記蓋本体に着脱可能に取り付けられるスライド部材と、を有し、前記スライド部材は、前記開口を密閉する密閉用部分と、前記密閉用部分を保持する保持部分と、を有する医療用ポートに関する。
【００１０】
また、前記スライド部材は、該スライド部材がスライドするスライド方向に直交する方向の両端部に配置される一対のスライド側係合爪部を有し、前記蓋本体は、前記一対のスライド側係合爪部に係合可能な蓋本体側係合部を有することが好ましい。
【発明の効果】
【００１１】
本発明によれば、液体を採取するためのチューブの接続口を清潔に保ちつつ、液体を採取するためのチューブの接続口を密閉する密閉用部分を容易に交換できる医療用ポートを提供することができる。
【図面の簡単な説明】
【００１２】
【図１】本発明の一実施形態における血液浄化システムを示す模式図である。
【図２】本発明の一実施形態に係るポートの斜視図である。
【図３】本実施形態に係るポートの平面図である。
【図４】本実施形態に係るポートの断面図であり、図３のＡ−Ａ線断面図である。
【図５】本実施形態に係るポートの断面図であり、図３のＢ−Ｂ線断面図である。
【図６】本実施形態に係るポートの開口を開放した状態を示す断面図である。
【図７】蓋部材からスライド部材を取り外した状態を示す断面図である。
【図８】蓋部材からスライド部材を取り外した状態を斜め下方側から見た斜視図である。
【図９】蓋部材からスライド部材を取り外した状態を斜め上方側から見た斜視図である。
【図１０】本実施形態に係るポートの使用方法について説明するための断面図である。
【発明を実施するための形態】
【００１３】
以下、本発明の実施形態について図面を参照しながら説明する。
図１は、本実施形態における血液浄化システム１００を示す模式図である。血液浄化システム１００は、オンラインＨＤＦを実施することが可能なシステムである。血液浄化システム１００は、ダイアライザ２００と、動脈側血液ラインＬ３と、静脈側血液ラインＬ４と、血液浄化装置１０と、を備える。
【００１４】
ダイアライザ２００は、血液と透析液との間で透析を行うことで血液を浄化する。
動脈側血液ラインＬ３は、患者Ｈから採取した血液が流通する。動脈側血液ラインＬ３は、上流側が患者Ｈの動脈に接続され下流側がダイアライザ２００に接続される。動脈側血液ラインＬ３を流通した血液は、ダイアライザ２００に供給される。動脈側血液ラインＬ３には、動脈側エアトラップチャンバ３０１が配置される。
【００１５】
静脈側血液ラインＬ４は、上流側がダイアライザ２００に接続され下流側が患者Ｈの静脈に接続される。ダイアライザ２００から排出された血液は、患者Ｈに戻される。静脈側血液ラインＬ４には、静脈側エアトラップチャンバ４０１が配置される。
【００１６】
また、図１に示すように、血液浄化装置１０は、透析液容器１１０と、透析液供給ラインＬ１と、医療用ポートとしてのポート１と、透析液回収ラインＬ２と、透析液回収容器１２０と、を備える。
【００１７】
透析液容器１１０は、透析液を収容する。
透析液供給ラインＬ１は、上流側が透析液容器１１０に接続され、下流側がダイアライザ２００に接続される。透析液供給ラインＬ１には、ダイアライザ２００に供給される透析液が流通する。透析液供給ラインＬ１は、第１透析液供給ラインＬ１１と、第２透析液供給ラインＬ１２と、を有する。第１透析液供給ラインＬ１１は、上流側が透析液容器１１０に接続され、下流側がダイアライザ２００に接続される。第２透析液供給ラインＬ１２は、上流側が透析液容器１１０に接続され、下流側が第１透析液供給ラインＬ１１に合流する。
【００１８】
ポート１は、透析液供給ラインＬ１（第２透析液供給ラインＬ１２）に配置される。ポート１は、ポート１に接続される分岐ラインＬ５を通じて、動脈側エアトラップチャンバ３０１等、又は静脈側エアトラップチャンバ４０１等に透析液を供給する。ポート１については、後段で詳述する。
【００１９】
透析液回収ラインＬ２は、上流側がダイアライザ２００に接続され、ダイアライザ２００から排出される透析液が流通する。
透析液回収容器１２０は、透析液回収ラインＬ２の下流側に接続され、透析液回収ラインＬ２を流通して回収された透析液を貯留する。
血液浄化システム１００に含まれる各ラインには、必要に応じてポンプ、バルブ等が配置される。
【００２０】
図２は、本発明の一実施形態に係るポート１の斜視図である。図３は、本実施形態に係るポートの平面図である。図４は、本実施形態に係るポート１の断面図であり、図３のＡ−Ａ線断面図である。図５は、本実施形態に係るポート１の断面図であり、図３のＢ−Ｂ線断面図である。図６は、本実施形態に係るポート１の開口６１を開放した状態を示す断面図である。
【００２１】
図２〜図５に示すように、ポート１は、内筒部３と、本体部４と、傾斜筒部５と、蓋部材７と、軸部材としてのシャフト８と、付勢部材としてのバネ９と、を備える。
【００２２】
本体部４は、図２に示すように、直方体の下方の一の角部が上方側に窪んだ形状に形成される。本体部４の上部には、本体上面部材４ａが貼り付けられている。本体上面部材４ａは、本体部４の上面を構成し、平面視で、矩形状に形成される。本体上面部材４ａは、防滴パッキンとして機能する。この本体部４には、図４及び図５に示すように、内筒部３が配置される内筒収容部４１、傾斜筒部５が収容される傾斜筒収容部４３、及び外周壁部６が形成される。内筒収容部４１は、本体上面部材４ａと直交する方向に延びる貫通穴として形成される。傾斜筒収容部４３は、一端側が内筒収容部４１に連通し、本体上面部材４ａと直交する方向に対して傾斜した方向に延びる穴として形成される。
【００２３】
内筒部３は、円筒状に形成される。内筒部３は、図４及び図５に示すように、内筒収容部４１に収容される。内筒部３は、本体上面部材４ａの裏面側において、本体上面部材４ａと直交する方向に延びる。内筒部３の外周と内筒収容部４１の内壁との間には、内筒部３の一端側（図４及び図５に示す上端側）から中央部に亘って、透析液が流通可能な空間が形成される。つまり、内筒収容部４１は、一端側から中央部に亘って、その内径が内筒部３の外径よりも大きく形成される。内筒部３の中央部から他端側の部分においては、内筒部３の外径と内筒収容部４１の内径は略同一に形成される。これにより、中央部から他端側の部分においては、内筒収容部４１は密閉されている。
【００２４】
図４及び図５に示すように、内筒部３には、上記の透析液供給ラインＬ１（第２透析液供給ラインＬ１２）を流通する透析液が導入される導入口３１及び透析液が導出される導出口３２が形成される。内筒部３は、導入口３１と導出口３２との間に形成される導入路３３を備える。内筒部３の導出口３２側の外周には、ネジ山３６が設けられる。内筒部３は、板状の押さえ部材３５を介して、締結部材３４によって本体部４に固定される。
【００２５】
傾斜筒部５は、円筒状に形成される。傾斜筒部５は、図４及び図５に示すように、一端側が傾斜筒収容部４３に収容される。傾斜筒部５は、本体上面部材４ａの裏面側において、本体上面部材４ａと直交する方向に対して傾斜して配置される。傾斜筒部５は、一端側が内筒収容部４１における内筒部３の外周と内筒収容部４１の内壁との間に空間が形成される部分に連通し、他端側が透析液供給ラインに連結される導出路５１を形成する。傾斜筒部５は、内筒収容部４１を流通する透析液を透析液供給ラインＬ１に導出する。傾斜筒部５は、板状の押さえ部材５３を介して、締結部材５２によって本体部４に固定される。
【００２６】
外周壁部６は、本体部４における導出口３２が位置する側に配置される。外周壁部６は、内筒収容部４１の周囲から内筒部３の延びる方向に突出し、本体上面部材４ａに形成された孔２１を貫通する。外周壁部６の先端側には、チューブの接続口である開口６１が形成される。外周壁部６の内周面は、開口６１側に向かって開口６１の径が大きくなるように傾斜したテーパ面６２を含む。
【００２７】
蓋部材７は、図３に示すように、平面視において所定方向に延びて形成される。蓋部材７は、図２及び図３に示すように、本体上面部材４ａの他方の面（表面）側に配置される。蓋部材７は、外周壁部６に着脱可能に取り付けられる。蓋部材７は、図５に示すように、基端側が上下方向に延びるシャフト８の上端に取り付けられ、先端側が水平方向に突出して形成される。蓋部材７は、開口６１よりも大径の蓋本体７１と、蓋本体７１に着脱可能に取り付けられるスライド部材７２と、を備える。
【００２８】
スライド部材７２は、保持部分７３と、保持部分７３に着脱可能に保持される密閉用部分７６と、を有する。蓋部材７にスライド部材７２が着脱可能に取り付けられる構成については後述する。
【００２９】
密閉用部分７６は、樹脂又はゴムからなる弾性部材によって構成され、突出方向側の周縁がテーパ面６２に当接して開口６１を密閉する。つまり、密閉用部分７６は、その外径が、外周壁部６の内径よりも大きく、かつ、外周壁部６の外径よりも小さくなるように構成される。密閉用部分７６は、保持部分７３に保持されて支持される。密閉用部分７６がテーパ面６２に当接した状態において、密閉用部分７６と内筒部３の端部との間には、透析液が通過するための隙間が形成される。保持部分７３については後述する。
【００３０】
シャフト８は、図５に示すように、本体上面部材４ａと直交する方向に延びる。シャフト８は、本体部４に形成された孔４２に挿通され、本体上面部材４ａに形成された孔２２を貫通する。シャフト８は、本体上面部材４ａの表面側において蓋本体７１に接続される。シャフト８は、本体部４に対して軸方向に摺動可能である。シャフト８は、蓋部材７と本体部４との間の距離を変更可能、かつ、蓋部材７を本体部４に対して回転可能に蓋本体７１と本体部４とを連結する。また、シャフト８は、本体上面部材４ａの裏面側の端部において外周方向に延出したバネ受け８１を有する。
【００３１】
バネ９は、図２に示すように、シャフト８の、本体部４とバネ受け８１との間に巻回される。バネ９は、圧縮された状態で、本体部４とバネ受け８１との間に配置され、蓋部材７を本体部４側に付勢する。バネ９は、図５に示すように、蓋部材７を本体部４側に付勢することで、密閉用部分７６をテーパ面６２に密着させる。チューブの接続口である開口６１を開放する際には、図６に示すように、バネ９による付勢力に抗して蓋本体７１をシャフト８の軸方向に移動させることで、蓋部材７と本体部４との間の距離を広げる。
【００３２】
蓋部材７にスライド部材７２が着脱可能に取り付けられる構成について説明する。図７は、蓋部材７からスライド部材７２を取り外した状態を示す断面図である。図８は、蓋部材７からスライド部材７２を取り外した状態を斜め下方側から見た斜視図である。図９は、蓋部材７からスライド部材７２を取り外した状態を斜め上方側から見た斜視図である。
【００３３】
図７〜図９に示すように、蓋本体７１は、長手方向に延びて形成される。蓋部材７はシャフト８（図６参照）を引き上げた状態で水平方向に沿って回動可能に構成され、蓋本体７１は、蓋部材７が操作される際に、使用者により把持される。スライド部材７２が蓋本体７１の長手方向にスライド移動可能に構成されることで、蓋本体７１には、スライド部材７２が、蓋本体７１に対して、着脱可能に取り付けられる。本実施形態においては、スライド部材７２をスライドさせて蓋本体７１に対して着脱可能にスライドさせるスライド方向は、水平方向であって、蓋本体７１の長手方向と一致する。また、スライド部材７２のスライド方向は、内筒部３（図５参照）が延びる方向に直交（交差）する方向でもある。
【００３４】
図７〜図９に示すように、蓋本体７１は、取付凹部７１１と、一対の蓋部材側ガイド部７１２，７１２と、蓋本体側係合部７１３と、を有する。
【００３５】
取付凹部７１１は、蓋本体７１における長手方向の一端部（先端部）において、蓋本体７１の下方から上方に窪むと共に、蓋本体７１の先端部から後方に窪んで形成される。取付凹部７１１には、スライド部材７２が配置される。
【００３６】
一対の蓋部材側ガイド部７１２，７１２は、蓋本体７１における取付凹部７１１が設けられる部分の上方の下部において、蓋本体７１の長手方向に直交する方向の両端部に、蓋本体７１の長手方向に沿って延びて形成される。一対の蓋部材側ガイド部７１２，７１２は、互いが平行に配置される。一対の蓋部材側ガイド部７１２，７１２には、スライド部材７２の一対のスライド部材側ガイド部７４６，７４６（後述）が、スライド方向に移動可能に取り付けられる。
【００３７】
一対の蓋部材側ガイド部７１２，７１２は、蓋本体７１の長手方向に直交する方向の両端部において、それぞれ、蓋本体７１の長手方向に延びる蓋側溝７１２ａと、蓋側溝７１２ａの下方に蓋側溝７１２ａに沿って形成される蓋側凸部７１２ｂと、を有する。蓋側溝７１２ａは、蓋本体７１における長手方向に直交する方向の外側に向けて開放する溝状に形成される。蓋側凸部７１２ｂは、蓋側溝７１２ａの下方において、蓋本体７１における長手方向に直交する方向の外側に向けて突出する。
【００３８】
蓋本体側係合部７１３は、取付凹部７１１の後方側の側部において、蓋本体７１の長手方向に直交する方向に延びる溝状に形成される。蓋本体側係合部７１３には、スライド部材７２が蓋本体７１に取り付けられた場合に、スライド部材７２の一対のスライド側係合爪部７４５，７４５が係合される。蓋本体側係合部７１３は、蓋本体７１の長手方向に直交する方向に延びる延在溝７１３ａと、延在溝７１３ａの先端側に延在溝７１３ａに沿って配置される下方延出壁部７１３ｂと、を有する。
【００３９】
スライド部材７２は、蓋本体７１に対してスライド方向（水平方向、内筒部３（図５参照）が延びる方向に直交（交差）する方向）にスライドすることで、蓋本体７１に着脱可能に取り付けられる。スライド部材７２は、保持部分７３と、密閉用部分７６と、を有する。
【００４０】
保持部分７３は、密閉用部分７６を保持して支持する。保持部分７３は、図７に示すように、スライド筐体７４と、連結部材７５と、を有する。
【００４１】
スライド筐体７４は、図７〜図９に示すように、上部に上面板７４１を有し下方が開放したカップ形状に形成され、先端部が円弧状であって、後部が平面状に形成される。
【００４２】
スライド筐体７４は、先端が円弧状に形成され上下方向に貫通する開口７４１ａを有する上面板７４１と、上面板７４１の先端側の周縁から下方に延びる先端円弧面板７４２と、先端円弧面板７４２の後端部から後方に延びる一対の側面板７４３，７４３と、一対の側面板７４３，７４３の後端部同士をつなぐ後面板７４４と、後面板７４４の下端部におけるスライド部材７２のスライド方向に直交する方向の両端部に形成される一対のスライド側係合爪部７４５，７４５と、スライド部材７２のスライド方向に直交する方向の両端部において上面板７４１の上部から上方側に突出すると共にスライド部材７２のスライド方向に延びる一対のスライド部材側ガイド部７４６，７４６と、を有する。
【００４３】
また、スライド筐体７４は、筒状内壁部７４７を有する。筒状内壁部７４７は、図７及び図８に示すように、スライド筐体７４を下方側から見た場合に、スライド筐体７４の内壁を構成する。筒状内壁部７４７は、一部が先端円弧面板７４２により構成され、円筒状に形成される。筒状内壁部７４７は、図４及び図５に示すように、開口６１が閉鎖されている状態において、密閉用部分７６及び外周壁部６の外周を囲うように配置される。
【００４４】
一対のスライド部材側ガイド部７４６，７４６は、図７〜図９に示すように、スライド部材７２のスライド方向に直交する方向の両端部において、スライド筐体７４の上面板７４１から上方に突出して形成される。一対のスライド部材側ガイド部７４６，７４６は、スライド筐体７４の上面板７４１のスライド部材７２のスライド方向の両端部において、それぞれ、スライド部材７２のスライド方向に延びるスライド部材側溝７４６ａと、スライド部材側溝７４６ａの上方にスライド部材側溝７４６ａに沿って形成されるスライド部材側凸部７４６ｂと、を有する。スライド部材側溝７４６ａは、スライド部材７２におけるスライド方向に直交する方向の内側に開放する溝状に形成される。スライド部材側凸部７４６ｂは、スライド部材側溝７４６ａの上方において、スライド部材７２におけるスライド方向に直交する方向の内側に突出して形成される。
【００４５】
一対のスライド側係合爪部７４５，７４５は、スライド部材７２のスライド方向に直交する方向の両端部において、後面板７４４の下端部から後方に突出するように形成される。一対のスライド側係合爪部７４５，７４５は、スライド部材７２のスライド方向に直交する方向の両端部において、後面板７４４の下端部から後方側に延出する延出部７４５ａと、延出部の後端部から上方に突出する引っ掛け片７４５ｂと、を有する。
【００４６】
連結部材７５は、図７に示すように、スライド筐体７４の内部に配置される。連結部材７５は、上端部が、スライド筐体７４の上面板７４１の開口７４１ａにおいて、スライド筐体７４に接続される。連結部材７５の下端部には、密閉用部分７６が接続される。連結部材７５は、段差円柱状に形成され、取付円柱部７５１と、取付円柱部７５１の下部に接続され段差状に形成される段差円柱部７５２と、を有する。
【００４７】
取付円柱部７５１は、スライド筐体７４の上面板７４１の開口７４１ａにおいて、スライド筐体７４に接続される。
段差円柱部７５２には、密閉用部分７６が接続される。段差円柱部７５２は、取付円柱部７５１の下部に接続される第１大径部７５３と、第１大径部７５３の下部に接続され第１大径部７５３よりも径が大きい第２大径部７５４と、を有する。
【００４８】
密閉用部分７６は、スライド筐体７４の内部において、連結部材７５を介して、スライド筐体７４の上面板７４１に連結される。密閉用部分７６は、スライド筐体７４の上面板７４１から下方に突出する円筒状に形成され、円形且つ平面状の下面を有する。密閉用部分７６は、上面において下方に窪む取付段差凹部７６１を有する。取付段差凹部７６１には、連結部材７５の段差円柱部７５２が接続される。密閉用部分７６は、弾性部材により構成されるため、弾性変形させることで、連結部材７５の段差円柱部７５２に対して、密閉用部分７６の取付段差凹部７６１を容易に着脱可能である。
【００４９】
以上のように構成されるスライド部材７２を蓋本体７１に取り付ける場合には、スライド部材７２のスライド筐体７４の一対のスライド部材側ガイド部７４６，７４６を、蓋本体７１の一対の蓋部材側ガイド部７１２，７１２に挿入して、スライド方向に移動させて、スライド部材７２を蓋本体７１に取り付ける。具体的には、スライド部材７２の一対のスライド部材側ガイド部７４６，７４６の後端部を、蓋本体７１の一対の蓋部材側ガイド部７１２，７１２の先端から一対の蓋部材側ガイド部７１２，７１２に挿入することで、スライド部材側ガイド部７４６のスライド部材側凸部７４６ｂを、蓋部材側ガイド部７１２の蓋側溝７１２ａに配置すると共に、蓋部材側ガイド部７１２の蓋側凸部７１２ｂを、スライド部材側ガイド部７４６のスライド部材側溝７４６ａに配置した状態で、蓋本体７１に対して、スライド部材７２をスライド方向における取り付け方向に移動させて、スライド部材７２を蓋本体７１に取り付ける。
【００５０】
更に、スライド部材７２を、スライド方向における取り付け方向に移動させることで、スライド部材７２の一対のスライド側係合爪部７４５，７４５は、スライド側係合爪部７４５の引っ掛け片７４５ｂが、弾性変形して、蓋本体側係合部７１３の下方延出壁部７１３ｂを乗り越えて、蓋本体側係合部７１３の延在溝７１３ａに配置される。これにより、スライド側係合爪部７４５の引っ掛け片７４５ｂが、蓋本体側係合部７１３の下方延出壁部７１３ｂに引っ掛かることにより、スライド方向における取り外し方向へのスライド部材７２の移動が規制された状態で、スライド部材７２の一対のスライド側係合爪部７４５，７４５を、蓋本体７１の蓋本体側係合部７１３に係合させる。
【００５１】
次に、スライド部材７２に取り付けられる密閉用部分７６を交換する手順について説明する。
まず、密閉用部分７６を交換するメンテナンスを行う場合に、チューブの接続口である開口６１の上方に、蓋部材７を位置させた状態で、開口６１を開放する。具体的には、チューブの接続口である開口６１を開放する際には、図６に示すように、バネ９による付勢力に抗して蓋本体７１をシャフト８の軸方向に移動させることで、蓋部材７と本体部４との間の距離を広げる。
【００５２】
次に、蓋本体７１に対して、スライド部材７２をスライド方向における取り外し方向にスライド移動させることで、スライド部材７２の一対のスライド側係合爪部７４５，７４５と蓋本体７１の蓋本体側係合部７１３との係合を外して、図７〜図９に示すように、蓋部材７からスライド部材７２を取り外す。
【００５３】
続けて、スライド部材７２から古い密閉用部分７６を取り外して、スライド部材７２に新しい密閉用部分７６を取り付ける。
その後、新しい密閉用部分７６が取り付けられたスライド部材７２の一対のスライド部材側ガイド部７４６，７４６を、蓋本体７１の一対の蓋部材側ガイド部７１２，７１２に挿入して、一対の蓋部材側ガイド部７１２，７１２に沿って、スライド部材７２をスライド方向における取り付け方向にスライド移動させる。
【００５４】
そして、スライド部材７２を、スライド方向における取り付け方向に更に移動させて、蓋本体７１側に押し込むことで、スライド部材７２の一対のスライド側係合爪部７４５，７４５を、蓋本体７１の蓋本体側係合部７１３に係合させる。これにより、一対のスライド側係合爪部７４５，７４５と蓋本体側係合部７１３とを係合させることで、スライド部材７２を蓋本体７１に取り付けることができる。
【００５５】
このように、一対のスライド側係合爪部７４５，７４５と蓋本体側係合部７１３とを係脱させるだけで、スライド部材７２と蓋本体７１とを、簡単に着脱できる。そのため、スライド部材７２に取り付けられた密閉用部分７６を容易に交換することができる。
【００５６】
ここで、蓋本体７１をポート１の開口６１の上方に配置した状態で、蓋部材７からスライド部材７２をスライド方向にスライドして着脱できるため、開口６１が汚染されることが抑制され、ポート１の開口６１を清潔に保つことができる。
【００５７】
また、スライド部材７２の一対のスライド部材側ガイド部７４６，７４６を、蓋本体７１の一対の蓋部材側ガイド部７１２，７１２に沿って移動できるため、スライド部材７２を、スライド方向における取り出し方向及び取り付け方向に容易にスライド移動させて、蓋本体７１から、スライド部材７２を容易に着脱できる。
【００５８】
また、一対のスライド側係合爪部７４５，７４５を、蓋本体側係合部７１３に係合させるだけで、スライド部材７２を蓋本体７１に容易に取り付けることができる。更に、一対のスライド側係合爪部７４５，７４５が、蓋本体側係合部７１３の下方延出壁部７１３ｂを乗り越えて、蓋本体側係合部７１３の延在溝７１３ａに嵌って配置されるため、蓋本体側係合部７１３に係合する際の感覚を感じとることができ、スライド部材７２の取り付けの完了を直感的に認識できる。
【００５９】
続いて、ポート１の使用方法（動作）について説明する。図１０は、ポートの使用方法について説明するための断面図である。なお、図１０は、図５の断面図に対応する図である。
まず、開口６１が閉鎖されている状態においては、図５に示すように、バネ９の復元力によって、蓋部材７が本体部４側に付勢される。蓋部材７が本体部４側に付勢されることで、密閉用部分７６がテーパ面６２に密着し、開口６１が密閉される。この際に、透析液は、透析液供給ラインＬ１を流通した後、導入口３１から（内筒収容部４１に配置された）導入路３３を流通する。その後、導出口３２から導出された透析液は、密閉用部分７６と内筒部３の端部との間の隙間、内筒部３の外周と内筒収容部４１の内壁との間の空間を流通し導出路５１を通じて再び透析液供給ラインＬ１に導出される（図４参照）。
【００６０】
開口６１を開放する際には、図６に示すように、血液浄化装置１０の第２透析液供給ラインＬ１２における透析液の流通を停止した後に、バネ９による付勢力に抗して蓋本体７１をシャフト８の軸方向に移動させることで、蓋部材７と本体部４との間の距離を広げる。続いて、蓋本体７１を、外周壁部６と筒状内壁部７４７とがシャフト８の軸方向において重複しない位置まで引いた状態で、図１０に示すように、蓋部材７が開口６１を覆わない位置までシャフト８を中心に本体部４に対して回転させる。
【００６１】
続いて、図１０に示すように、分岐ラインＬ５を内筒部３の導出口３２側に接続する。分岐ラインＬ５の端部には、内側にネジ山３６に対応する溝の形成された筒状の接続部材３７が配置され、その接続部材３７が内筒部３の導出口３２側に螺合される。
【００６２】
分岐ラインＬ５が内筒部３に接続された状態においては、透析液供給ラインＬ１から導入路３３に導入された透析液は、導出口３２から分岐ラインＬ５に導出される。
【００６３】
上記実施形態に係るポート１によれば、以下の効果が奏される。
上記実施形態では、ポート１が、透析液供給ラインＬ１（第２透析液供給ラインＬ１２）を流通する透析液が導入される導入口３１及び透析液が導出される導出口３２が形成された内筒部３と、内筒部３の外周との間に透析液が流通可能な空間が形成されるように内筒部３を収容する筒状の内筒収容部４１が形成された本体部４と、本体部４における導出口３２が位置する側に配置されて内筒収容部４１の周囲から内筒部３の延びる方向に突出すると共に先端部に開口６１が形成された外周壁部６と、外周壁部６に着脱可能に取り付けられ開口６１を密閉する蓋部材７と、を備えるものとした。また、上記実施形態では、蓋部材７を、蓋本体７１と、蓋本体７１に対して内筒部３が延びる方向に交差する方向にスライドすることで蓋本体７１に着脱可能に取り付けられるスライド部材７２と、を含んで構成し、スライド部材７２を、開口を密閉する密閉用部分と、密閉用部分を保持する保持部分と、を含んで構成した。
【００６４】
これにより、スライド部材７２を内筒部３が延びる方向に交差する方向にスライドすることで、蓋部材７からスライド部材７２を着脱可能とした。従って、蓋本体７１をポート１の開口６１の上方に配置した状態で、蓋部材７からスライド部材７２をスライド方向にスライドして着脱できるため、開口６１が汚染されることが抑制され、ポート１の開口６１を清潔に保つことができる。また、蓋部材７からスライド部材７２をスライド方向にスライドして着脱できるため、スライド部材７２に取り付けられた密閉用部分７６を容易に交換することができる。
【００６５】
また、上記実施形態では、スライド部材７２が、スライドするスライド方向に直交する方向の両端部に配置される一対のスライド側係合爪部７４５，７４５を有するように構成し、蓋本体７１が、一対のスライド側係合爪部７４５，７４５に係合可能な蓋本体側係合部７１３を有するように構成した。これにより、一対のスライド側係合爪部７４５，７４５と蓋本体側係合部７１３とに係脱させるだけで、スライド部材７２と蓋本体７１とを、簡単に着脱できる。また、一対のスライド側係合爪部７４５，７４５がスライド部材７２のスライド方向に直交する方向の両端部に設けられるため、スライド部材７２を蓋部材７から取り外せない事態が生じた場合に、一対のスライド側係合爪部７４５，７４５を破壊することで、スライド部材７２を蓋部材７から取り外すことができる。
【００６６】
なお、本発明は上記実施形態に限定されるものではなく、本発明の目的を達成できる範囲での変形、改良等は本発明に含まれる。
上記実施形態においては、オンラインＨＤＦを実施する血液浄化装置１０にポート１を用いたが、本発明に係る医療用ポートの用途はこれに限定されない。また、本発明に係る医療用ポートは、透析液以外の液体が流通するラインに配置してもよい。
【００６７】
また、上記実施形態においては、スライド部材７２を、スライド筐体７４、連結部材７５及び密閉用部分７６の３つの別々の部材で構成したが、これに限定されない。例えば、スライド部材を、密閉用部分７６を一体化させた１つの部材で構成して、スライド部材ごと交換するように構成してもよい。また、スライド部材を、スライド筐体７４及び連結部材７５を一体化させた保持部材と、密閉用部分と、の２部材で構成してもよい。
【００６８】
また、上記実施形態においては、スライド部材７２から古い密閉用部分７６を取り外して、スライド部材７２に新しい密閉用部分７６を取り付けることで、密閉用部分７６を交換したが、これに限定されない。密閉用部分７６をスライド部材７２ごと交換してもよい。つまり、新しい密閉用部分７６が取り付けられたスライド部材７２を予め一体部品として準備しておき、密閉用部分７６をスライド部材７２ごと交換してもよい。
【符号の説明】
【００６９】
１  ポート（医療用ポート）
３  内筒部
４  本体部
６  外周壁部
７  蓋部材
４１  内筒収容部
５１  導出路
６１  開口
７１  蓋本体
７２  スライド部材
７３  保持部分
７６  密閉用部分
７４５  スライド側係合爪部
７１３  蓋本体側係合部
【図１】
2018171300.tif 000003
【図２】
2018171300.tif 000004
【図３】
2018171300.tif 000005
【図４】
2018171300.tif 000006
【図５】
2018171300.tif 000007
【図６】
2018171300.tif 000008
【図７】
2018171300.tif 000009
【図８】
2018171300.tif 000010
【図９】
2018171300.tif 000011
【図１０】
2018171300.tif 000012